(57)【要約】【課題】  軽量簡素な構造で、簡便に高さ位置を変更できるヒップパッドを備えたオペレータの支持装置を提供する。【解決手段】  立ったまま運転操作を行うリーチフォークリフトの運転室の背部には、通常オペレータを支持するためのクッションが付設されている。  本発明は、運転室を囲うサイドフレーム４の乗降口側端上部にオペレータのウエストを支える垂直状のウエストパッド１０を配設し、これにオペレータのヒップを支持するヒップパッド２０を高さ変更が可能に設けられている。このヒップパッド２０はヒップパッドに固設した取付金具２２ａ，２２ｂをウエストパッド１０に内装した支持部材１２ａ，１２ｂに上下方向任意の位置で係止させる。そして、ヒップパッド２０の後端部２０ｂをウエストパッド１０の前面に当接させて固定する。【選択図】  図１
2004189486.tif 000002
【特許請求の範囲】
【請求項１】
リーチフォークリフトのサイドフレームの内側で乗降口寄りに取り付けられ、オペレータのウエストを支持するほぼ垂直状のウエストパッドと、
該ウエストパッドの前記サイドフレーム側とは反対側の面に高さ位置が変更可能に設けられ、オペレータのヒップを支持するヒップパッドと、
を備えたオペレータ支持装置であって、
前記ヒップパッドに付設された取付金具を上下方向に変更可能に係止する支持部材を前記ウエストパッドに備え、前記取付金具は前記支持部材に対する当該取付金具の係止位置を支点として上下方向に回動可能として前記ヒップパッドの前記サイドフレーム側の端部をウエストパッドの前記サイドフレーム側とは反対側の面に当接させたこと、
を特徴とするリーチフォークリフトのオペレータ支持装置。
【請求項２】
請求項１に記載のリーチフォークリフトのオペレータ支持装置において、
前記取付金具は、係止用部材により前記支持部材に押し付けられることで、該支持部材に係止されること、
を特徴とするリーチフォークリフトのオペレータ支持装置。
【請求項３】
請求項２に記載のリーチフォークリフトのオペレータ支持装置において、
前記係止用部材は、ネジであること、
を特徴とするリーチフォークリフトのオペレータ支持装置。
【請求項４】
請求項１に記載のリーチフォークリフトのオペレータ支持装置において、
前記支持部材には、上下方向に並んだ複数の溝が設けられ、
更に、前記取付金具には、突出した突出部が設けられており、
該突出部が前記溝の何れかに引っ掛かることにより、前記取付金具が前記支持部材に係止されること、
を特徴とするリーチフォークリフトのオペレータ支持装置。
【請求項５】
請求項１ないし請求項４の何れか１項に記載のリーチフォークリフトのオペレータ支持装置において、
前記支持部材をウエストパッドの下端近くまで設け、前記ヒップパッドをウエストパッドの下方にほぼ垂直に格納すること、
を特徴とするリーチフォークリフトのオペレータ支持装置。
【請求項６】
請求項１ないし請求項５の何れか１項に記載のリーチフォークリフトのオペレータ支持装置において、
前記取付金具は、前記係止位置と前記ヒップパッドとの間の距離を調節可能に構成されていること、
を特徴とするリーチフォークリフトのオペレータ支持装置。
【請求項７】
請求項１ないし請求項６の何れか１項に記載のリーチフォークリフトのオペレータ支持装置において、
前記ウエストパッドにおける前記サイドフレームへの取付け穴は、上下方向に長い長穴となっていること、
を特徴とするリーチフォークリフトのオペレータ支持装置。
【発明の詳細な説明】
【技術分野】
【０００１】
本発明は、オペレータが立った状態で運転するリーチフォークリフトのオペレータ支持装置に関するものである。
【背景技術】
【０００２】
リーチフォークリフトは図９に示すように、車体の下部前方に車輪を備えた左右一対のアウトリガー８が固着され、これに前後方向に移動自在にマスト６が設けられている。そして、マスト６に左右一対のフォーク７ａを備えたフォーク支持体７が昇降自在に設けられている。
【０００３】
運転室は、車体後部右側に設けられており、ドライブ装置やステアリング装置を覆う左側のボックスフレーム２と前方側のフロントフレーム３と右側のサイドフレーム４によって囲まれた平面視がほぼ矩形状の空間としている。そして、後方側はオペレータが乗降するための乗降口５として開放されている。
【０００４】
サイドフレーム４は後端部が車体中央側へ湾曲しており、その上端内面の乗降口５寄りにはオペレータのウエストを支持する支持装置１が設けられている。
この支持装置１はオペレータが寄りかかるだけのもので、矩形状のクッション材をサイドフレーム４に固設した構成としている。
【０００５】
リーチフォークリフトは頻繁にオペレータが乗降するので、立ったままの状態で運転するのが効率的であるが、走行中の揺れや振動に対してオペレータの安定性が悪く疲労が大きいという問題がある。
【０００６】
そこで、乗降するのに邪魔にならず、オペレータが簡易的に腰掛けられるようにした支持装置が提案されている（例えば、特許文献１）。
この支持装置３０は図１０に示すように、背当て部３１の下方に腰当て部３２を固設したものをサイドフレーム４に固設したスライドレール３３に上下移動自在に取り付けたものである。なお、図示してないが腰当て部３２は、上下方向に回動可能にサイドプレート３５に支持し、ピンで所定の角度に固定するようにしている。また、支持装置３０の高さ調整は上下調節レバー３４の操作でできるようにしている。
【特許文献１】特開２０００−１６９０９４号公報（［００２０〜００２３］）。
【発明の開示】
【発明が解決しようとする課題】
【０００７】
リーチフォークリフトではオペレータの乗降が頻繁であるばかりでなくオペレータも頻繁に変わる。しかも、運転姿勢はオペレータによって種々異なっている。
上記特許文献１のオペレータの支持装置によれば、支持装置が上下方向に変更可能であるので、オペレータの身長に合った高さに配置でき、また腰当て部の傾斜も変えられる。
【０００８】
しかしながら、このオペレータの支持装置は腰当て部が背当て部に一体に取り付けられ、背当て部の背面にはスライド機構を必要とするので、重量が大きなものとなり、構造が複雑でコストが嵩むという欠点がある。
【０００９】
そこで、本発明は、軽量簡素な構造で、簡便に高さ位置を変更できるヒップパッドを備えたオペレータの支持装置を提供することを目的としている。
【課題を解決するための手段】
【００１０】
上記目的を達成するためになされた請求項１に記載のリーチフォークリフトのオペレータ支持装置は、リーチフォークリフトのサイドフレームの内側で乗降口寄りに取り付けられ、オペレータのウエストを支持するほぼ垂直状のウエストパッドと、該ウエストパッドのサイドフレーム側とは反対側の面に高さ位置が変更可能に設けられ、オペレータのヒップを支持するヒップパッドとを備えている。
【００１１】
そして、ヒップパッドに付設された取付金具を上下方向に変更可能に係止する支持部材をウエストパッドに備えている。
そして更に、このオペレータ支持装置では、取付金具は支持部材に対する当該取付金具の係止位置を支点として上下方向に回動可能としてヒップパッドのサイドフレーム側の端部をウエストパッドのサイドフレーム側とは反対側の面に当接させたことを特徴としている。つまり、取付金具は、支持部材に対する当該取付金具の係止位置を支点として上下方向に回動可能であると共に、その取付金具が支持部材に係止された状態にて、ヒップパッドが、そのサイドフレーム側の端部をウエストパッドのサイドフレーム側とは反対側の面に当接させた状態で支持されるようになっている。
【００１２】
このような請求項１のオペレータ支持装置によれば、従来のものに比べ軽量簡素な構造でヒップパッドの高さ位置を簡便に変更できる。
本発明のオペレータ支持装置は、ある程度の体重があずけられ、かつ、走行中の揺れや振動に対して安定を保つことができるようにオペレータのウエストとヒップを支持するもので、基本的には腰掛けるものではないが、腰掛けることを想定した強度に構成にしてもよい。
【００１３】
ウエストパッドは、ヒップパッドを高い位置へ移動させた場合でも、オペレータのウエストが十分支持されるように支障のない限りサイドフレームの上端より高くするのが望ましい。
【００１４】
ヒップパッドは走行中のオペレータの安定性が保たれる最低限の大きさとしてオペレータの乗降性をよくするのが望ましい。
ヒップパッドの取付金具を係止する支持部材はウエストパッドのどこに設けてもよいが、ウエストパッドに内装する場合は、取付金具が上下方向に移動可能となるように、支持部材に沿った切欠溝をウエストパッドに設ける。
【００１５】
また、請求項１のオペレータ支持装置では、取付金具が支持部材に係止された状態では、ヒップパッドの上記端部をウエストパッドのサイドフレーム側とは反対側の面に当接させているので、取付金具は、大きな強度で支持部材に係止されていなくてもよい。
【００１６】
このため、請求項２に記載のように、取付金具は、係止用部材により支持部材に押し付けられることで、該支持部材に係止されるように構成することができ、より軽量簡素な構造でヒップパッドの高さ位置を簡便に変更できる。
【００１７】
なお、係止用部材としては、取付金具を支持部材に押し付けるバネやカム等でもよいが、請求項３に記載のように、ネジを用いれば、大きな強度が得やすい。そして、この場合、ネジにレバーが付設されていれば、オペレータにとって最適な位置（高さ）でそのレバーを締め込むことにより、取付金具は支持部材に係止されることとなるため、ヒップパッドの高さ調整を迅速に行うことができる。
【００１８】
また、請求項１のオペレータ支持装置は、請求項４に記載のように構成してもよい。即ち、支持部材に、上下方向に並んだ複数の溝を設け、更に、取付金具には、突出した突出部を設ける。そして、該突出部が上記溝の何れかに引っ掛かることにより、取付金具が支持部材に係止されるようにする。
【００１９】
このような請求項４のオペレータ支持装置によれば、突出部を上記溝の何れかに引っ掛けるだけで取付金具を支持部材に係止させることができるので、ヒップパッドの高さ調整を迅速、かつ、容易に行うことができる。
【００２０】
また、上述した請求項２〜４のオペレータ支持装置の構成に限らず、例えば、支持部材に一定間隔で設けた穴にピンで取付金具を固定するか、取付金具の先端を鉤状にして支持部材に設けた穴に引っかけるようにしたものでもよい。
【００２１】
なお、取付金具が支持部材に係止された状態では、ヒップパッドはウエストパッドと当接しているので、取付金具の係止部における荷重は大きなものとならず、強固な固定を必要としない。
【００２２】
ヒップパッドを必要としない場合は、これを取り外してもよいが、リーチフォークリフトには取り外したヒップパッドを収納するようなスペースがないので、紛失の虞れが多い。また、特許文献１の装置では、ピンの脱着により腰当て部を格納するので、簡便ではないという難点がある。
【００２３】
そこで、請求項５に記載のように、支持部材をウエストパッドの下端近くまで設け、ヒップパッドをウエストパッドの下方にほぼ垂直に格納できるようにするのが望ましい。
このような請求項５のオペレータ支持装置によれば、ヒップパッドを必要としない場合は、簡便にウエストパッドの下方に格納することができる。
【００２４】
ところで、取付金具はヒップパッドに付設されるが、ヒップパッドのサイドフレーム側の端部がウエストパッドに当接したときにヒップパッドが最適な傾斜になるように、その長さを定めている。
【００２５】
しかし、ヒップパッドの最適な傾斜はオペレータによって異なる場合もある。
そこで、請求項６に記載のように、取付金具は、上記係止位置とヒップパッドとの間の距離を調節可能に構成されているのが望ましい。
【００２６】
このような請求項６のオペレータ支持装置によれば、係止位置とヒップパッドとの間の距離を変えると、ウエストパッドに当接されるヒップパッドのサイドフレーム側の端部（即ち、ヒップパッドのウエストパッドと当接する位置）が変わることとなり、上記傾斜を変更することができる。
【００２７】
つまり、ヒップパッドは、ウエストパッドに対して遠ざかる方向及び近づく方向に移動可能であり、そのヒップパッドの移動に応じて、ウエストパッドに当接されるヒップパッドのサイドフレーム側の端部が変わることとなるため、上記傾斜を変更することができる。
【００２８】
このため、オペレータにとってより最適な運転姿勢になるように調節することができる。
また、本発明のオペレータ支持装置では、ウエストパッドがリーチフォークリフトのサイドフレームに取り付けられている。しかし、オペレータの身長はそれぞれ異なる。
【００２９】
そこで、請求項７に記載のように、ウエストパッドにおけるサイドフレームへの取付け穴は、上下方向に長い長穴となっていることが望ましい。
このような請求項７のオペレータ支持装置によれば、例えば、ネジ溝を有したボルトを上記長穴に挿入し、それをサイドフレームに予め設けられているネジ穴に螺着することで、ウエストパッドをサイドフレームに取り付けることができるが、特に、この取り付けの際に、上記長穴とボルトとが接触する位置を変えることで本装置全体を上下方向に移動することができる。
【００３０】
このため、本装置全体をオペレータの身長に合った高さに配置することができる。
【発明を実施するための最良の形態】
【００３１】
以下、本発明の実施の形態のリーチフォークリフトのオペレータ支持装置について、図面に基づいて説明する。
リーチフォークリフトの構成は上記背景技術で説明したもの（図９）と同じであり、説明は省略する。
【００３２】
まず、第１実施形態のオペレータ支持装置１００について説明する。
オペレータ支持装置１００は、図１に示すように、ウエストパッド１０とヒップパッド２０とを備えており、サイドフレーム４の上端内面の乗降口５寄りに設けられている。
【００３３】
ウエストパッド１０は、サイドフレーム４の乗降口５寄りに２つの取付ボルト１３で取り付けられている。そして、ウエストパッド１０の乗降口５寄りはサイドフレーム４の曲面に沿って湾曲しており、更に、その上部はサイドフレーム４の上端より高く配置されている。そして、ウエストパッド１０には、その中央部下部に縦方向に一部切り欠いた切欠部１８が設けられ、更に、切欠部１８よりも乗降口５寄りに縦方向の切欠溝１９が設けられている。
【００３４】
また、ウエストパッド１０は、図２及び図３に示すように、クッション材１０ａに芯金１１が内装され、これに上下方向のガイド溝１２ｃが形成された支持部材１２ａ，１２ｂが取り付けられている。
【００３５】
支持部材１２ａは、上記切欠溝１９の切欠部１８側の端面に取り付けられ、また、支持部材１２ｂは切欠部１８の内側（切欠溝１９側）の端面に付設されている。
ヒップパッド２０は、図２に示すように、クッション材２０ａに芯金２１が内装されている。そして、ヒップパッド２０には、図３に示すように、それの乗降口５側とは反対側に支持部材１２ｂに係合する取付金具２２ｂが設けられ、更に、その取付金具２２ｂから乗降口５側へ、支持部材１２ａと支持部材１２ｂとの間の距離よりも離れた地点に、支持部材１２ａに係合する取付金具２２ａが設けられている。なお、取付金具２２ａ，２２ｂは、芯金２１に取り付けられている。
【００３６】
取付金具２２ａの先端部（即ち、支持部材１２ａ側の端部）に設けられた穴から上記支持部材１２ａ，１２ｂのガイド溝１２ｃを貫通するボルト１５が挿入されている。そして、ガイド溝１２ｃを貫通したボルト１５の先端には、雄ネジが形成されており、これにレバー１４が取り付けられている。なお、取付金具２２ｂの先端部（即ち、支持部材１２ｂ側の端部）は、ボルト１５の先端の雄ネジの部分が貫通している。また、１６はスペーサであり、１７は取付金具２２ａ，２２ｂと支持部材１２ａ，１２ｂの間でボルト１５に挿入されたワッシャである。
【００３７】
このように構成されているので、レバー１４が締め込まれると、ヒップパッド２０の取付金具２２ａ，２２ｂはワッシャ１７を介して支持部材１２ａ，１２ｂをボルト１５の頭部側とレバー１４側と（図１における左右）から挟んで圧着することとなり、取付金具２２ａ，２２ｂは、その締め込まれた位置で固定される。
【００３８】
レバー１４を弛めたときは、取付金具２２ａ，２２ｂは支持部材１２ａ，１２ｂから離れ、ヒップパッド２０を自由に昇降および上下方向に回動させることができる。
次に、このように構成されたオペレータ支持装置１００の作用について説明する。
【００３９】
まず、レバー１４を弛め、ヒップパッド２０の先端部（即ち、サイドフレーム４側とは反対側の端部）を持ち適宜な高さ位置へ移動させる。このとき、取付金具２２ａ，２２ｂはガイド溝１２ｃに案内されて移動し、レバー１４は切欠部１８内を移動する。
【００４０】
適宜な位置に移動させたら、ヒップパッド２０の先端側を下方へ回動させ、レバー１４を締め込む。
これにより、取付金具２２ａ，２２ｂが支持部材１２ａ，１２ｂを挟着して、その位置で係止されるとともに、ヒップパッド２０の後端部（即ち、サイドフレーム４側の端部）２０ｂがウエストパッド１０の前面（即ち、サイドフレーム４側とは反対側の面）に当接し、所定の高さおよび傾斜でヒップパッド２０が固定される。なお、ヒップパッド２０の傾斜角度は、ウエストパッド１０の前面における取付金具２２ａ，２２ｂの移動可能な部分が平面であるので、どの高さにおいても一定である。
【００４１】
以上のようなオペレータ支持装置１００によれば、従来のものに比べ軽量簡素な構造でヒップパッド２０の高さ位置を簡便に変更することができる。
そして更に、レバー１４を締め込むことにより取付金具２２ａ，２２ｂを支持部材１２ａ，１２ｂに係止させることができるので、ヒップパッド２０の高さ位置を無段階で調整することができ、更に、レバー１４を用いて高さ調整の作業をしているので、その作業を迅速に行うことができる。
【００４２】
また更に、このオペレータ支持装置１００では、図５に示すように、オペレータの体重をヒップパッド２０にかなり分担させた状態となり、オペレータの疲労を和らげることができる。
【００４３】
また、オペレータ支持装置１００は、ヒップパッド２０にオペレータの全体重を預けるものではないので、左右の手で走行操作やリフト操作をしているときに、振動や揺れがあってもオペレータは安定を保つことができる。また、一方の足でペダル操作をした場合でもオペレータ支持装置１００によって支持されることで、オペレータの体を安定に保つことができる。しかも、ヒップパッド２０はオペレータの安定性が得られる最低限の大きさであり、下側に傾斜した状態であるので、オペレータが乗降するに際して邪魔にならない。
【００４４】
一方、ヒップパッド２０を使用しない場合はレバー１４を弛め、ヒップパッド２０を持ち上げて取付金具２２ａ，２２ｂの先端部を支持部材１２ａ，１２ｂの最下部へ移動させ、ヒップパッド２０の先端部を押し下げれば、ボルト１５を支点として回動し格納される。支持部材１２ａ，１２ｂの最下部では、図４に示すように、ヒップパッド２０の後端部２０ｂはウエストパッド１０の前面に当接しないので、ヒップパッド２０のオペレータのヒップが接触する面はウエストパッド１０の前面と同一線上に位置することになる。
【００４５】
そして、この状態で、レバー１４を締め込み、ヒップパッド２０を固定することで、ヒップパッド２０をウエストパッド１０の下方に格納することができる。
なお、上記第１実施形態のオペレータ支持装置１００においては、ヒップパッド２０の傾斜角度は予め最適なものに設定され一定としている。また、本オペレータ支持装置１００では、レバー１４及びボルト１５が請求項２の係止用部材に相当している。
【００４６】
次に、第１実施形態の変形例として、ヒップパッド２０の傾斜角度を変更できるようにしたオペレータ支持装置１００ａについて、図６に基づいて説明する。
ウエストパッド１０の構成は、第１実施形態のオペレータ支持装置１００の構成と同じである。そして、ヒップパッド２０に内装された芯金２１には、取付金具２５を挟むフォーク状の固定部材２３が取り付けられている。そして更に、その固定部材２３が取付金具２５の長手方向に設けられた長穴２５ａにボルト２４で取り付けられることで、ヒップパッド２３に取付金具２５が付設された状態になっている。なお、取付金具２５はヒップパッド２０に一定の角度に保持され摺動のみ可能に芯金２１に係止されている。
【００４７】
また、取付金具２５は支持部材１２ａと支持部材１２ｂのガイド溝１２ｃに係合するように左右に２個設けられている。
このように構成されているので、固定部材２３を取付金具２５の長穴２５ａの位置を変えて取付金具２５に固定することにより、支持部材１２ａ，１２ｂに対する取付金具２５の係止位置（この例では、ボルト１５の中心軸）とヒップパッド２０との間の距離を変えることができるので、ヒップパッド２０の傾斜角度を変えることができる。このため、オペレータにとってより最適な運転姿勢となるように調節することができる。
【００４８】
なお、本オペレータ支持装置１００ａでは、固定部材２３，ボルト２４及び取付金具２５が請求項６の取付金具に相当している。また、オペレータ支持装置１００ａでは、取付金具２５に長穴２５ａを設けたもので説明したが、固定部材２３側に長穴を設けてもよく、また、取付金具２５と固定部材２３は固定して芯金２１側に長穴を設けるようにしてもよい。
【００４９】
次に、第２実施形態のオペレータ支持装置２００について、図７及び図８に基づいて説明する。なお、図７及び図８において、前述した図面と同じものについては、同一の符号を付しているため、説明は省略する。
【００５０】
本第２実施形態のオペレータ支持装置２００は、第１実施形態のオペレータ支持装置１００と比較すると、下記の（１）〜（４）の点が異なっている。
（１）図７（ａ）に示すように、第１実施形態の取付金具２２ｂに代わって、切欠部１８側に突出した突出部４４が設けられた取付金具２２ｃが用いられている。
【００５１】
（２）図７（ｂ）に示すように、先端に穴が設けられたボルト４１が、取付金具２２ｃの先端部に設けられた穴４５（図８参照）から支持部材１２ａ，１２ｂのガイド溝１２ｃ及び取付金具２２ａの先端部に設けられた穴へと挿入され、それを貫通したボルト４１の先端の穴に割ピン４２が挿入されている。
【００５２】
このため、図７（ｂ）に示すように、取付金具２２ａ，２２ｃはボルト４１の頭部と割ピン４２とに挟まれているので、取付金具２２ａ，２２ｃが支持部材１２ａ，１２ｂから離脱しないようなっている。また、取付金具２２ａ，２２ｃは、支持部材１２ａ，１２ｂのガイド溝１２ｃに沿って上下方向に移動可能となっている。なお、第１実施形態のレバー１４及びボルト１５は用いられていない。
【００５３】
（３）ウエストパッド１０におけるサイドフレーム４側の面には、金属からなる略Ｔ字状のプレート４３が切欠部１８を覆うように設けられている。但し、切欠部１８の支持部材１２ｂ側は、取付金具２２ｃが上下方向に移動可能となる分だけ、プレート４３に覆われていない。つまり、略Ｔ字状に形成されたプレート４３の縦に長い部分と、支持部材１２ｂとの間は、取付金具２２ｃの厚さより広い隙間が存在している。
【００５４】
そして特に、上記プレート４３の縦に長い部分の支持部材１２ｂ側（即ち、上記隙間側）には、凹状に切り欠かれた複数の切欠溝４３ａが上下方向（即ち、支持部材１２ａ，１２ｂの長手方向）に並んで設けられている。
【００５５】
また、プレート４３には、上述したように切欠部１８を覆っている状態において、第１実施形態でウエストパッド１０におけるサイドフレーム４への取付け穴として用いられていた穴（即ち、第１実施形態のウエストパッド１０において、取付ボルト１３が挿入された穴）と対応する位置にネジ穴が設けられている。そして、上記ウエストパッド１０の穴とプレート４３のネジ穴とに、第１実施形態の取付ボルト１３よりも短い取付ボルト１３ａが螺合されており、これにより、プレート４３がウエストパッド１０と一体になっている。
【００５６】
また、プレート４３には、上下方向に長い取付け穴４３ｂが、上下方向に２つ並んで設けられている。そして、プレート４３の取付け穴４３ｂに挿入された取付ボルト１３ｂにより、ウエストパッド１０がサイドフレーム４に取り付けられている。
【００５７】
なお、上記第１実施形態のサイドフレーム４の取付け穴は横に（支持部材１２ａ，１２ｂの並び方向）２つ並んで設けられていたが、本第２実施形態のサイドフレーム４の取付け穴は、プレート４３の取付け穴４３ｂに合わせて縦（支持部材１２ａ，１２ｂの長手方向）に２つ並んで設けられている。
【００５８】
（４）図７及び図８に示すように、取付金具２２ｃの突出部４４には、ヒップパッド２０が下方に回動することによりプレート４３の切欠溝４３ａ（詳しくは、切欠溝４３ａの下側の部分）の何れかに引っ掛かるストッパ溝４４ａが形成されている。更に、ヒップパッド２０が上方に回動して切欠溝４３ａへの引っ掛かりが解除された場合に、突出部４４のサイドフレーム４側の面となる面４４ｂが、プレート４３のサイドフレーム４側とは反対側の面に対して平行となり、その面と接触しないようになっている。
【００５９】
このような構成のオペレータ支持装置２００では、ヒップパッド２０を下方に回動させて突出部４４のストッパ溝４４ａをプレート４３の切欠溝４３ａの何れかに引っ掛けるだけで、取付金具２２ｃがプレート４３に係止されるとともに、ヒップパッド２０の後端部２０ｂがウエストパッド１０の前面に当接することとなり、所定の高さおよび傾斜でヒップパッド２０が固定される。更に、この状態でヒップパッド２０を上方に回動させると、上記固定が解除されてヒップパッド２０の上下方向の移動が可能となる。
【００６０】
従って、オペレータの好みに合わせて高さ調整を迅速かつ容易に行うことができる。更に、ウエストパッド１０をサイドフレーム４に取り付ける際に、プレート４３の取付け穴４３ｂに対する取付ボルト１３ｂの挿入位置を変えることで、本オペレータ支持装置２００全体の高さ位置までも変更することができ、オペレータの身長に合った高さに配置することができる。そして更に、このことから、実質的に、第１実施形態のオペレータ支持装置１００と変わりなく無段階でヒップパッド２０の高さ位置を変更することができることとなる。
【００６１】
また、ヒップパッド２０を使用しない場合には、ヒップパッド２０を上方に回動して上記固定を解除し、後は、第１実施形態のオペレータ支持装置１００と同じ作業を行うことにより、ヒップパッド２０を格納することができる。
【００６２】
なお、本第２実施形態のオペレータ支持装置２００では、プレート４３と支持部材１２ａ，１２ｂとが請求項４の支持部材に相当している。
以上、本発明の実施形態について説明したが、本発明は、種々の形態を採り得ることは言うまでもない。
【００６３】
上記第２実施形態のオペレータ支持装置２００では、サイドフレーム４への取付け穴として縦方向に長い取付け穴４３ｂがプレート４３に設けられていたが、この取付け穴４３ｂは、プレート４３に限らず、ウエストパッド１０をサイドフレーム４に固定できるのであればどこに設けられていてもよい。また、取付金具２２ａを、取付金具２２ｃと同じ構成にしてもよい。この場合、取付金具２２ａに設けられることとなる突出部４４と同じ部分側にもプレート４３の切欠溝４３ａと同じ溝を設ければよい。
【００６４】
また、第２実施形態においても、第１実施形態の変形例と同様に、取付金具２２ａ，２２ｃに第１実施形態の変形例の取付金具２５と同じ長穴２５ａを設けると共に、上記変形例の固定部材２３とボルト２４と同じ構成のものを設けて、ヒップパッド２０が取付金具２２ａ，２２ｃに沿って摺動可能となるように構成すれば、ヒップパッド２０の傾斜角度を変えることができる。
【００６５】
また、第１実施形態のオペレータ支持装置１００のウエストパッド１０におけるサイドフレーム４への取付け穴を、第２実施形態と同様に上下方向に長い長穴にしてもよい。この場合、オペレータ支持装置１００全体をオペレータの身長に合った高さに配置することができる。
【図面の簡単な説明】
【００６６】
【図１】第１実施形態のオペレータ支持装置を示す正面図である。
【図２】同オペレータ支持装置の図１のＡ−Ａにおける断面図である。
【図３】同オペレータ支持装置の背面図である。
【図４】同オペレータ支持装置のヒップパッドの格納時の状態を示す側面図である。
【図５】同オペレータ支持装置の使用状態を示す説明図である。
【図６】同オペレータ支持装置のヒップパッドの傾斜を変更可能にした変形例を示す断面側面図である。
【図７】第２実施形態のオペレータ支持装置を表す構成図である。
【図８】同オペレータ支持装置のヒップパッド及び取付金具を表す構成図である。
【図９】リーチフォークリフトの全体および従来のオペレータの支持装置を示す後方斜視図である。
【図１０】別の従来のオペレータの支持装置を示す斜視図である。
【符号の説明】
【００６７】
１…支持装置、２…ボックスフレーム、３…フロントフレーム、４…サイドフレーム、５…乗降口、６…マスト、７…フォーク支持体、７ａ…フォーク、８…アウトリガー、１０…ウエストパッド、１０ａ…クッション材、１１…芯金、１２ａ，１２ｂ…支持部材 １２ｃ…ガイド溝、１３，１３ａ，１３ｂ…取付ボルト、１４…レバー、１５…ボルト、１６…スペーサ、１７…ワッシャ、１８…切欠部、１９…切欠溝、２０…ヒップパッド、２０ａ…クッション材、２０ｂ…後端部、２１…芯金、２２ａ，２２ｂ，２２ｃ…取付金具、２３…固定部材 ２４…ボルト、２５…取付金具、２５ａ…長穴、３０…支持装置、３１…背当て部、３２…腰当て部、３３…スライドレール、３４…上下調節レバー、３５…サイドプレート、４１…ボルト、４２…割ピン、４３…プレート、４３ａ…切欠溝、４３ｂ…取付け穴、４４…突出部、４４ａ…ストッパ溝、４４ｂ…面、４５…穴、１００，１００ａ，２００…オペレータ支持装置
【図１】
2004189486.tif 000003
【図２】
2004189486.tif 000004
【図３】
2004189486.tif 000005
【図４】
2004189486.tif 000006
【図５】
2004189486.tif 000007
【図６】
2004189486.tif 000008
【図７】
2004189486.tif 000009
【図８】
2004189486.tif 000010
【図９】
2004189486.tif 000011
【図１０】
2004189486.tif 000012